(57)【特許請求の範囲】
【請求項１】
コア板の一面に第１保護層を形成する段階と、
第１工法により前記コア板の他面に第１回路パターンを形成する段階と、
前記第１保護層を除去する段階と、
前記コア板の他面に第２保護層を形成する段階と、
第２工法により前記コア板の一面に第２回路パターンを形成する段階とを含み、
前記コア板は、銅張積層板(CCL)であり、
前記第１及び第２保護層は、発泡テープである
ことを特徴とする印刷回路基板の製造方法。
【請求項２】
前記第１工法は、テンティング(tenting)工法、セミアディティブ(semi-additive)工法、及びアディティブ(additive)工法からなる群より選ばれる何れか一つであることを特徴とする請求項１に記載の印刷回路基板の製造方法。
【請求項３】
前記第２工法は、テンティング工法、セミアディティブ工法、及びアディティブ工法からなる群より選ばれる何れか一つであることを特徴とする請求項１または請求項２に記載の印刷回路基板の製造方法。
【請求項４】
前記第２回路パターンの側面は前記第１回路パターンの側面より少なく傾くことを特徴とする請求項１から請求項３のいずれか１項に記載の印刷回路基板の製造方法。
【請求項５】
前記第１回路パターンの内部には、境界面が形成されることを特徴とする請求項１から請求項４のいずれか１項に記載の印刷回路基板の製造方法。
【請求項６】
前記第１保護層を除去する段階は、前記第１保護層の温度を増加させて除去する
請求項１から請求項５のいずれか１項に記載の印刷回路基板の製造方法。
【請求項７】
前記第２保護層を形成する段階の後に、前記第２保護層を除去する段階を
更に含む請求項１から請求項６のいずれか１項に記載の印刷回路基板の製造方法。
【請求項８】
前記第２保護層を除供する段階では、前記第２保護層の温度を増加させて除去する
請求項７に記載の印刷回路基板の製造方法。
【請求項９】
第１保護層の両面に一対のコア板それぞれの一面を付着する段階と、
第１工法により前記一対のコア板の他面に第１回路パターンを形成する段階と、
前記一対のコア板を前記第１保護層から分離する段階と、
第２保護層の両面に前記一対のコア板それぞれの他面を付着する段階と、
第２工法により前記一対のコア板の一面に第２回路パターンを形成する段階と、
を含み、
前記一対のコア板は、銅張積層板(CCL)であり、
前記第１及び第２保護層は、発泡テープである
ことを特徴とする印刷回路基板の製造方法。
【請求項１０】
前記第１工法は、テンティング工法、セミアディティブ工法、及びアディティブ工法からなる群より選ばれる何れか一つであることを特徴とする請求項９に記載の印刷回路基板の製造方法。
【請求項１１】
前記第２工法は、テンティング工法、セミアディティブ工法、アディティブ工法からなる群より選ばれる何れか一つであることを特徴とする請求項９または１０に記載の印刷回路基板の製造方法。
【請求項１２】
前記第２回路パターンの側面が前記第１回路パターンの側面より少なく傾くことを特徴とする請求項９から請求項１１のいずれか１項に記載の印刷回路基板の製造方法。
【請求項１３】
前記第１回路パターンの内部には、境界面が形成されることを特徴とする請求項９から請求項１２のいずれか１項に記載の印刷回路基板の製造方法。
【請求項１４】
前記一対のコア板から前記第１保護層から分離する段階は、前記第１保護層の温度を増加させて除去する
請求項９から請求項１３のいずれか１項に記載の印刷回路基板の製造方法。
【請求項１５】
前記第２保護層に前記一対のコア板を付着した段階の後に、前記第２保護層を除去する段階を
更に含む請求項９から請求項１４のいずれか１項に記載の印刷回路基板の製造方法。
【請求項１６】
前記第２保護層を除去する段階では、前記第２保護層の温度を増加させて除去する
請求項１５に記載の印刷回路基板の製造方法。
【発明の詳細な説明】
【技術分野】
【０００１】
本発明は印刷回路基板及びその製造方法に関する。
【背景技術】
【０００２】
最近、電子機器の機能化及び小型化に伴い、電子機器の価格が高くなっている。したがって、電子機器に使用する部品のコストを低減するための努力が行われている。
【０００３】
従来の印刷回路基板の製造工程中、回路パターンの形成方法はテンティング工法とアディティブ工法とに分けられる。
【０００４】
テンティング工法は、製造費用は低いが、微細回路パターン(fine pattern)を形成するのに限界点があり、その限界点を解決するための方法として登場したのがアディティブ工法である。しかし、アディティブ工法は費用が高いという短所があった。
【０００５】
従来の印刷回路基板は、銅張積層板を原資材として使用する場合、両方ともにテンティング工法を適用するか、両方ともにエティティブ工法を適用する製造方法を用いた。これは、両面が同時にエッチング液またはメッキ槽に露出されるからであった。しかし、一面にだけ微細な回路パターンが要求される場合にも、両面について同時に同じ工程を行うしかなかった。
【０００６】
また、印刷回路基板の厚さが薄くなることにつれ、工程途中に巻がれたり、反ったりするなどの問題点があった。
【発明の開示】
【発明が解決しようとする課題】
【０００７】
こうした従来技術の問題点に鑑み、本発明は、印刷回路基板の両面の回路パターンを順次形成する方法を提供することにその目的がある。
【課題を解決するための手段】
【０００８】
本発明の一実施形態によれば、コア板の一面に第１保護層を形成する段階と、 第１工法により前記コア板の他面に第１回路パターンを形成する段階と、前記第１保護層を除去する段階と、前記コア板の他面に第２保護層を形成する段階と、 第２工法により前記コア板の一面に第２回路パターンを形成する段階と、を含む印刷回路基板の製造方法が提供される。
【０００９】
前記コア板としては銅張積層板を用いることができる。
【００１０】
前記第１工法は、テンティング工法、セミアディティブ工法、及びアディティブ工法からなる群より選ばれる何れか一つであることができる。
【００１１】
前記第２工法は、テンティング工法、セミアディティブ工法、及びアディティブ工法からなる群より選ばれる何れか一つであることができる。
【００１２】
前記第１及び第２保護層は、発泡テープであってもよい。
【００１３】
前記第２回路パターンの側面は前記第１回路パターンの側面より少なく傾いていてもよい。
【００１４】
前記第１回路パターンの内部には境界面が形成できる。
【００１５】
本発明の他の実施形態によれば、第１保護層の両面に一対のコア板それぞれの一面を付着する段階と、第１工法により前記一対のコア板の他面に第１回路パターンを形成する段階と、前記一対のコア板を前記第１保護層から分離する段階と、第２保護層の両面に前記一対のコア板の他面を付着する段階と、第２工法により前記一対のコア板それぞれの一面に第２回路パターンを形成する段階と、を含む印刷回路基板の製造方法が提供される。
【００１６】
前記コア板として銅張積層板を用いることができる。
【００１７】
前記第１工法は、テンティング工法、セミアディティブ工法、及びアディティブ工法からなる群より選ばれる何れか一つであることができる。
【００１８】
前記第２工法は、テンティング工法、セミアディティブ工法、及びアディティブ工法からなる群より選ばれる何れか一つであることができる。
【００１９】
前記第１及び第２保護層は、発泡テープであってもよい。
【００２０】
前記第２回路パターンの側面は前記第１回路パターンの側面より少なく傾いていてもよい。
【００２１】
前記第１回路パターンの内部には境界面が形成できる。
【００２２】
本発明のさらに他の実施形態によれば、絶縁層と、前記絶縁層の一面に形成され、側面が前記絶縁層に対して傾いている第１回路パターンと、前記絶縁層の他面に形成され、側面が前記絶縁層に対して傾いている第２回路パターンと、を含み、前記第２回路パターンの側面は前記第１回路パターンの側面より少なく傾いていることを特徴とする印刷回路基板が提供される。
【００２３】
前記第１回路パターンの内部には境界面が形成できる。
【発明の効果】
【００２４】
本発明の実施例によれば、印刷回路基板の両面に順次回路パターンを形成することにより、印刷回路基板の両面に各々異なる工法で回路パターンを形成することができる。
【発明を実施するための最良の形態】
【００２５】
以下では、添付図面に基づいて本発明に係る印刷回路基板及びその製造方法の実施例をより詳細に説明し、添付図面を参照して説明することにおいて、図面符号にかかわらず同一かつ対応する構成要素は同一の参照番号を付し、これに対する重複説明は省略する。
【００２６】
図１は、本発明の一実施例による印刷回路基板の製造順序図であり、図２から図７は、本発明の一実施例による印刷回路基板の製造工程図である。図２から図７を参照すると、コア板１１、絶縁層１１１、銅薄１１２、第１保護層１２、ビアホール１３、第１回路パターン１４、ビア１５、第２保護層１６、第２回路パターン１７が示されている。
【００２７】
段階Ｓ１１は、図２に示すように、コア板１１の一面に第１保護層１２を形成する段階である。
【００２８】
コア板１１は絶縁層だけで形成されてもよく、本実施例のように、銅張積層板を用いることもできる。銅張積層板は絶縁層の一面だけに銅薄が積層されてもよく、本実施例のように、絶縁層１１１の両面に銅薄１１２が積層されてもよい。
【００２９】
銅薄１１２の厚さは、テンティング工法が行える程の厚さであってもよく、セミアディティブ工法のための薄い銅薄であってもよい。
【００３０】
第１保護層１２としては発泡テープのようなテープを用いることができ、これにより、コア板１１の一面をメッキ液またはエッチング液などから簡単な方法で保護しながら第１回路パターン１４と第２回路パターン１７とを順次形成できるようになる。
【００３１】
段階Ｓ１２は、図３及び図４に示すように、第１工法によりコア板１１の他面に第１回路パターン１４を形成する段階である。
【００３２】
第１回路パターン１４を形成する前に、上下層の回路パターン１４，１７を接続させるためのビア１５の形成のために、図３に示すように、ビアホール１３を穿孔する。このためにレーザを用いてもよい。以後、ビアホール１３の内部をメッキしてビア１５を形成する。
【００３３】
一方、第１工法には、セミアディティブ工法、テンティング工法、アディティブ工法がある。本実施例の第１回路パターン１４はテンティング工法で形成された。コア板１１が絶縁層だけで形成された場合にはアディティブ工法を用いることができる。アディティブ工法は、絶縁層の上面に無電解メッキ及び電解メッキを用いて選択的に回路パターンを形成する方法により行われる。セミアディティブ工法は、薄膜の銅薄に選択的に回路パターンを形成し、露出された銅薄をエッチングで除去する方法により行われる。
【００３４】
段階Ｓ１３は、第１保護層１２を除去する段階である。第１保護層１２は物理的に分離することもでき、化学的溶液を用いて除去することもできる。また、第１保護層１２が発泡テープからなった場合には温度を増加させると、気泡が発生して接着力が劣ってコア板１１から容易に分離される。
【００３５】
段階Ｓ１４は、図５に示すように、コア板１１の他面に第２保護層１６を形成する段階である。
【００３６】
コア板１１の他面には、既に第１工法により第１回路パターン１４が形成されている。したがって、第１回路パターン１４が損傷されないように、コア板１１の他面には第２保護層１６が付着される。第２保護層１６としては第１保護層１２と同じ材質を使用することができる。
【００３７】
段階Ｓ１５は、図６に示すように、第２工法によりコア板１１の一面に第２回路パターン１７を形成する段階である。
【００３８】
コア板１１の一面は、第１保護層１２の除去により露出されている状態である。本実施例のコア板１１は銅張積層板であるため、図５に示すように、銅薄１１２が露出されている。
【００３９】
第２工法としては、銅薄１１２を除去するテンティング工法を用いることができる。銅薄が薄い場合には、セミアディティブ工法で第２回路パターン１７を形成し、露出された銅薄を除去すればよい。一方、コア板１１の一面が絶縁層である場合には、アディティブ工法を用いることができる。
【００４０】
一方、第１回路パターン１４はアディティブ工法またはセミアディティブ工法で形成でき、第２回路パターン１７はテンティング工法で形成できるため、第２回路パターン１７の側面が第１回路パターン１４の側面より絶縁層１１１に対して傾きが小さい傾斜面を有することができる。
【００４１】
これは、テンティング工法により、第２回路パターン１７の側面の上部が下部に比べて相対的にエッチング液に多く露出されるので、多く除去されるからである。
【００４２】
また、ここで、第１回路パターン１４の場合ビア１５を形成する際にメッキ工程をもう一回経たので、境界面が形成され得る。
【００４３】
以後、第２保護層１６を除去し、ソルダレジストを塗布すると、図７に示すような印刷回路基板１０が完成される。
【００４４】
図８は、本発明の他の実施例による印刷回路基板の製造順序図であり、図９から図１４は、本発明の他の実施例による印刷回路基板の製造工程図である。図９から図１４を参照すると、コア板２１、絶縁層２１１、銅薄２１２、第１保護層２２、ビアホール２３、第１回路パターン２４、ビア２５、第２保護層２６、第２回路パターン２７が示されている。
【００４５】
段階Ｓ２１は、図９に示すように、第１保護層２２の両面に一対のコア板２１それぞれの一面を付着する段階である。
【００４６】
本実施例によれば、第１保護層２２の両面に一対のコア板２１を対称的に付着した。
【００４７】
コア板２１は絶縁層だけで形成されてもよく、本実施例のように、銅張積層板を用いることもできる。銅張積層板は絶縁層の一面だけに銅薄が積層されてもよく、本実施例のように、絶縁層２１１の両面に銅薄２１２が積層されてもよい。
【００４８】
銅薄２１２の厚さは、テンティング工法が行える程の厚さであってもよく、セミアディティブ工法のための薄い銅薄であってもよい。
【００４９】
第１保護層２２としては発泡テープのようなテープを用いることができ、これにより、コア板２１の一面をメッキ液またはエッチング液などから簡単な方法で保護しながら第１回路パターン２４と第２回路パターン２７とを順次形成できるようになる。
【００５０】
段階Ｓ２２は、図１０及び図１１に示すように、第１工法により一対のコア板２１の他面に第１回路パターン２４を形成する段階である。
【００５１】
第２回路パターン２７を形成する前に、上下層の回路パターン２４，２７を接続させるためのビア２５の形成のために、図１０に示すように、ビアホール２３を穿孔する。このためにレーザを用いてもよい。以後、ビアホール２３の内部をメッキしてビア２５を形成する。
【００５２】
一方、第１工法には、セミアディティブ工法、テンティング工法、アディティブ工法がある。本実施例の第１回路パターン２４はテンティング工法で形成された。コア板２１が絶縁層だけで形成された場合にはアディティブ工法を用いることができる。アディティブ工法は、絶縁層の上面に無電解メッキ及び電解メッキを用いて選択的に回路パターンを形成する方法により行われる。セミアディティブ工法は、薄膜の銅薄に選択的に回路パターンを形成し、露出された銅薄をエッチングで除去する方法により行われる。
【００５３】
段階Ｓ２３は、一対のコア板２１を第１保護層２２から分離する段階である。第１保護層２２は物理的に分離することもでき、化学的溶液を用いて除去することもできる。また、第１保護層２２が発泡テープからなった場合には温度を増加させると、気泡が発生して接着力が劣ってコア板２１から容易に分離される。
【００５４】
段階Ｓ２４は、図１２に示すように、第２保護層２６の両面に一対のコア板２１の他面を付着する段階である。
【００５５】
コア板２１の他面には、既に第１工法により第１回路パターン２４が形成されている。したがって、第１回路パターン２４が損傷されないように、コア板２１の他面には第２保護層２６が付着される。第２保護層２６としては第１保護層２２と同じ材質を使用することができる。本実施例では一対のコア板２１が第２保護層２６に対称的に付着されている。
【００５６】
段階Ｓ２５は、図１３に示すように、第２工法により一対のコア板２１の一面に第２回路パターン２７を形成する段階である。
【００５７】
コア板２１の一面は、第１保護層２２の除去により露出されている状態である。本実施例のコア板２１は銅張積層板であるため、図１２に示すように、銅薄２１２が露出されている。
【００５８】
第２工法としては、銅薄２１２を除去するテンティング工法を用いることができる。銅薄が薄い場合には、セミアディティブ工法で第２回路パターン２７を形成し、露出された銅薄を除去すればよい。一方、コア板２１の一面が絶縁層である場合には、アディティブ工法を用いることができる。
【００５９】
一方、第１回路パターン２４はアディティブ工法またはセミアディティブ工法で形成でき、第２回路パターン２７はテンティング工法で形成できるため、第２回路パターン２７の側面が第１回路パターン２４の側面より絶縁層２１１に対して傾きが小さい傾斜面を有することができる。
【００６０】
これは、テンティング工法により、第２回路パターン２７の側面の上部が下部に比べて相対的にエッチング液に多く露出されるので、多く除去されるからである。
【００６１】
また、ここで、第１回路パターン２４の場合ビア２５を形成する際にメッキ工程をもう一回経たので、境界面が形成され得る。
【００６２】
以後、第２保護層２６を除去し、ソルダレジストを塗布すると、図１４に示すような一対の印刷回路基板２０が完成される。各々の印刷回路基板２０は一つの完全な製品となる。
【００６３】
図１５は、本発明のまた他の実施例による印刷回路基板の断面図である。図１５を参照すると、印刷回路基板３０、絶縁層３１、第１回路パターン３３、第２回路パターン３２、ビア３４が示されている。
【００６４】
本実施例の印刷回路基板３０は、両面にそれぞれ第１回路パターン３３と第２回路パターン３２とが形成されたことを特徴とする。第２回路パターン３２はテンティング工法で形成されたので、第２回路パターン３２の側面３２１が絶縁層３１に対して傾くように形成されている。
【００６５】
一方、第１回路パターン３３の側面３３１は第２回路パターン３２の側面３２１より絶縁層３１に対して大きく傾くことになるが、これは、第１回路パターン３３が、アディティブ工法またはセミアディティブ工法で形成されたからである。
【００６６】
テンティング工法は、エッチング液で不要な部分を除去し、その他の部分が回路パターンになるようにする工法である。この際、相対的に上部の回路パターンがエッチング液に多く露出されるので、多く除去される。したがって、図１５に示すように、第２回路パターン３２の側面３２１は、第１回路パターン３３より絶縁層３１に対して傾きが小さい傾斜面を有することになる。
【００６７】
一方、第１回路パターン３３の場合、ビア３４を形成する際に、メッキ工程をもう一回経たので、境界面３６が形成される。
【００６８】
前記では本発明の好ましい実施例に対して説明したが、当該技術分野で通常の知識を有する者であれば下記の特許請求の範囲に記載した本発明の思想及び領域から脱しない範囲内で本発明を多様に修正及び変更させることができることを理解できよう。
【図面の簡単な説明】
【００６９】
【図１】本発明の一実施例による印刷回路基板の製造順序図である。
【図２】本発明の一実施例による印刷回路基板の製造工程図である。
【図３】本発明の一実施例による印刷回路基板の製造工程図である。
【図４】本発明の一実施例による印刷回路基板の製造工程図である。
【図５】本発明の一実施例による印刷回路基板の製造工程図である。
【図６】本発明の一実施例による印刷回路基板の製造工程図である。
【図７】本発明の一実施例による印刷回路基板の製造工程図である。
【図８】本発明の他の実施例による印刷回路基板の製造フローチャートである。
【図９】本発明の他の実施例による印刷回路基板の製造工程図である。
【図１０】本発明の他の実施例による印刷回路基板の製造工程図である。
【図１１】本発明の他の実施例による印刷回路基板の製造工程図である。
【図１２】本発明の他の実施例による印刷回路基板の製造工程図である。
【図１３】本発明の他の実施例による印刷回路基板の製造工程図である。
【図１４】本発明の他の実施例による印刷回路基板の製造工程図である。
【図１５】本発明のまた他の実施例による印刷回路基板の断面図である。
【符号の説明】
【００７０】
１１  コア板
１１１  絶縁層
１１２  銅薄
１２  第１保護層
１３  ビアホール
１４  第１回路パターン
１５  ビア
１６  第２保護層
１７  第２回路パターン
【図１】
0004721196.tif 000002
【図２】
0004721196.tif 000003
【図３】
0004721196.tif 000004
【図４】
0004721196.tif 000005
【図５】
0004721196.tif 000006
【図６】
0004721196.tif 000007
【図７】
0004721196.tif 000008
【図８】
0004721196.tif 000009
【図９】
0004721196.tif 000010
【図１０】
0004721196.tif 000011
【図１１】
0004721196.tif 000012
【図１２】
0004721196.tif 000013
【図１３】
0004721196.tif 000014
【図１４】
0004721196.tif 000015
【図１５】
0004721196.tif 000016